(57)【要約】【課題】従来は安全表示の基準もなく統一もされていなかったので、文字で表記するほか手段がなかった。【解決手段】先ず、（火気厳禁）は赤と黄色のトラテープ、以下（水濡れ注意）は青と黄色、（危険個所表示）は黒と黄色、（所有者管理地）は緑と黄色、以上の４種類のシンボル的なトラテープを提供した。さらにこれらトラテープの製造及び表示に基準を確立するために（日本トラテープセンター）を設立し、データベースに基づいたマニュアルに従って管理することとした。【選択図】  なし【特許請求の範囲】
【請求項１】
火気厳禁などの警告表示を、トラテープによって表示しその色によって示された意味合いの国際的統一を図ろうとする事業。
【請求項２】
請求項１に記載した意味合いの統一化を図る手段として、表示場所にかかわるデータベースをインターネット上に設置して適切なトラテープの色をマニュアル化した事業
【発明の詳細な説明】
【０００１】
【発明の属する技術分野】
本発明はトラテープを使用して安全表示の国際的統一基準を作ろうとする事業計画である。
【０００２】
【従来の技術】
危険個所の立ち入り規制や、祭り・イベントでの通行規制などさまざまに安全表示がなされており、法律による基準もなく義務付けられてもいないけれども、少なくとも管理する側は効果的な表示方法を求めている。
【０００３】
建設工事現場においてはプラスチック製のコーンバーセットがよく設置してあるが、色とりどりで統一性がなくさほどの強度は必要としないにしても壊れやすく持ち運びに不便を極め、費用も高い。
【０００４】
まさしく人命にかかわる危険個所でもなく強度よりも遠くからはっきりわかることのほうが重視されてしかるべきであるにもかかわらず、例えば空き地には有刺鉄線を使ったり、閉店後のガソリンスタンドなどにおいてはロープや鎖を張ったりしてあるがいずれも目立たない。
【０００５】
警察では現場保全のために（Ｋｅｅｐ  ｏｕｔ）等と書いたビニールテープを使用しているところもあるが、使い捨てになっており全国共通ではない。
【０００６】
農家で土壌改良に使用する石灰の袋には（生石灰・水濡れ注意）とかかれてあるが、納屋の片隅に積み重ねてあると判らない。
【０００７】
農機具の出し入れなどで破くことがあり、農機具を洗って気付かずに帰った後で発火することもあって危険性の割にはその表示は不充分であると言わざるを得ない。
【０００８】
【発明が解決しようとする課題】
現状における主要な課題は、先ず読まなければならない、そして統一されていない、さらに提供されていないから表示もされていないところにある。
【０００９】
例えば（火気厳禁）や（水濡れ注意）のプレートがあるが、意図するところは物体ではなくエリアであるにもかかわらず近寄って読まなければ判らないし、その範囲が示されていない。
【００１０】
現在のところ文字で表記するほかに手立てはないが、幼児でも外国人でも読めば解るより見れば判るほうがよい。
【００１１】
イスラム世界や英語圏といった文化の違いを超えて盛んな国際交流の時代ではあるが、国情によっては（立ち入り禁止）の張り紙を知らずにうっかり踏み込むと射殺されかねないところもあるのである。
【００１２】
道路交通法の信号機のように国際的に統一された表示基準がないからである。
【００１３】
統一性がないということは表示の効果が薄いのであり、漢字やハングル文字で説明を加える必要が出てくるのである。
【００１４】
日本国内に限ってみても北海道から沖縄まで全国民の認識の統一を図る事業は課題が大きい。
【００１５】
たとえば空き地にトラテープを張って（用途管理地）を表示する場合、枯れ草がいっぱいだから（火気厳禁）の表示にした、ガラス片や建設機械があるから（危険個所）の表示にした、などと人々の判断はさまざまである。
【００１６】
また、政情不安な国において（火気厳禁）の表示がテロの標的となる懸念はあり得るものの、表示を見て人々がどう行動するかではなく表示する側に統一性が求められるのである。
【００１７】
いまだに世界平和が実現してはおらず、時代をかなり先取りした事業であるかもしれないが、国際化社会にあって重点的に解決しなければならない課題と言えよう。
【００１８】
【課題を解決するための手段】
本発明は、先ず最も象徴的で基本的な（火気厳禁）を意味する表示として赤と黄色のトラテープを充てた。
【００１９】
すると、これとよく似た色柄の表事物をそれ以外の目的でむやみに設置したら（火気厳禁）の意味合いが薄くなり表示の効果はなくなるといった問題が出てくる。
【００２０】
そこで赤と黄色の（火気厳禁）の他、青と黄色は（水濡れ注意）、黒と黄色は（危険個所）、緑と黄色は（用途管理地）、と基本となる四種のトラテープを製作してそれぞれに使い別けることとした。『実用新案登録第３０８１３５５号』
【００２１】
これを基本として特殊用途の製品も提供するが、最も重要課題である適切表示の統一化を図るために、「日本トラテープセンター」を設立しインターネット上に表示基準をマニュアル化したデータベースを設置することとした。
【００２２】
トラテープの使用者および販売店は、携帯電話などでアクセスしマニュアルに従って表示する。
【００２３】
表示に乱れを生じさせない手段として、最初のデータベースは基本を踏襲した簡単なものでよい。
【００２４】
マニュアルははじめから規則で統一するのではなく、アクセスによってデータが蓄積し、完成に向かって成長し、進化すればよいのである。
【００２５】
【実施例】
トラテープは既存の設備や技術で容易に製造可能ではあるが、メーカーは通常の工業製品のように他社と違うものを他社より安くとは提供せずに、実施権許諾契約書に基づき「日本トラテープセンター」の指示に従って製作する。
【００２６】
安全表示基準が地域によって異なっていては表示効果が発揮されないから売上追求のみに走らないように、これも実施権許諾契約書に基づいた販売店のネットワークを築き上げる。
【００２７】
代理店希望者には先ず、「トラテープ」の商標登録をして（出願中）契約者に「トラテープユニオン」の商号を与える。
【００２８】
「トラテープユニオン」社は「日本トラテープセンター」のデータベースに従って販売普及し、独自の製品開発はしない。
【００２９】
そしてこれら「日本トラテープセンター」の知的所有権権利喪失までには全世界に周知され、一般的常識となるよう普及し、条例あるいは法制化を目指す。
【００３０】
そのためには「本トラテープセンター」のビジネスモデル特許が認可され、製造や販売が契約に基づいたマニュアルに従って執り行われることが絶対条件となる。
【００３１】
さもなければ各メーカーが競い合って製造し、価格もデザインもばらばらに普及することになり、国際的統一は極めて困難となる。
【００３２】
【発明の効果】
本発明は二十一世紀の人類に新しい常識を提案する事業であるが、それに伴って提供される繊維織物製の「トラテープ」は単なる表示物にとどまらず飛躍的に用途が広がり、抜群の経済効果をもたらすものである。
【００３３】
その特徴は、当分の間表示する場合においてのみ表示の統一基準があるのであって非常用として備えておけば一時的には自由に使える強度と美しさを有する。
【００３４】
例えば保育園児達が手をつないで二列縦隊となって野外に出かけることがよくある。
【００３５】
そんなときに子供たちが喜ぶトラテープが一本あれば、電車ごっこになって一列縦隊となることができる。
【００３６】
さらに広場に到着してお弁当を広げるときに、遊んではいけない区域をたやすく表示できて万一子供が川に滑り落ちたとしても大人がすばやくぶら下がっていけるだけの強度がある。
【００３７】
人間はフェンスで囲うなどしてハード面を駆使すればそれを乗り越えようとしたり、破れていたらそこをくぐり抜けた方が近道だと思ったりする。
【００３８】
従来は一般的に（立ち入り禁止）と認識されていたかも知れないが、「トラテープ」は本当に危険個所なのかそうではないが所有者管理地なのかと、その意味を知らせてくれる。
【００３９】
このように統一基準を作って普及し周知されることによって安全表示は充実し、格段に効果的になるのである。
【００４０】
傷つきやすいものを縛るなど、ビニール製品では考えられないような、本来の表示目的以外の用途があり、テープグリップや常設・仮設支柱・巻取り器等の関連商品の需要も見込まれる。
【００４１】
さらに何よりも、設置費用はコーンバーセットの十分の一で済み、設置・撤去が素早い、持ち運びが容易、壊れにくいなどなどその経済的な効果は計り知れない。
【００４２】
読めば判るよりも見れば判る、これこそユニバーサルデザインそのものである。
【００４３】
１５年後には今の５歳の保育園児達は成人する、彼らにとってはすでに幼少の頃からの常識として周知されていなければ、スペースシャトルが行き交う地球規模の国際化社会はない。
【００４４】
トラテープビジネスを成功させ、全人類のＤＮＡのなかに安全表示基準を構築してこそ本当に安全な社会が実現できるものと私は信じる。